(57)【要約】【課題】  擬餌ワームを使用してのルアーフィッシングにおいて、細い鋼線であるところの釣り針のみによって脆弱な擬餌ワームを固定した際に生じる擬餌ワームの破損や移動といった問題を解決するための、釣り針に擬餌ワームを強固に取り付ける固定具を提供する。【解決手段】  釣り針に擬餌ワームを取り付けるに際して用いる線状材からなる固定具であって、擬餌ワーム固定部３と釣り針装着部２とにより構成され、擬餌ワーム固定部３は擬餌ワームに刺し込み、先端には釣り針でいうところの返しが設けてあり、刺し込んだ擬餌ワームが抜けにくいという機能を有し、釣り針装着部２はＵ型形状になっており、釣り針に通す、或は引っ掛けることにより、釣り針と一体化させる機能を有す。これらの構成により、釣り針と擬餌ワームを強固に繋ぎ取り付けるための固定具が提供できる。【選択図】図１
0003150071.tif 000002
【実用新案登録請求の範囲】
【請求項１】
釣り針に擬餌ワームを取り付けるに際して用いる線状材からなる固定具であって、擬餌ワーム固定部と釣り針装着部とにより構成され、擬餌ワーム固定部は擬餌ワームに刺し込み、先端には釣り針でいうところの返しが設けてあり、刺し込んだ擬餌ワームが抜けにくいという機能を有し、釣り針装着部はＵ型形状になっており、釣り針に通す、或は引っ掛けることにより、釣り針と一体化させる機能を有し、結果、釣り針と擬餌ワームを強固に繋ぎ固定できる固定具。
【考案の詳細な説明】
【技術分野】
【０００１】  本考案は、釣り針に擬餌ワームを取り付けるための固定具の構造に関するものである。
【背景技術】
【０００２】  ルアーフィッシングには実に多種の形態があり、その中に擬餌ワームを取り付けた釣り針を用いる釣法がある。メタルジグやスピナーベイトと異なり擬餌ワームは、脆弱であるため耐久性に欠けるという欠点を持っている。つまり対象魚の１回のヒットでワームがちぎれることもあるし、例え全くヒットしなくとも何度かキャストするうちに、釣り針によってワームを破損させたり、擬餌ワームが移動してしまうことになる。【０００３】  擬餌ワームは、引き裂き強度が低くゴム状乃至ゼリー状弾性を有するプラスチックにて製造されていることが多く、一旦引き裂き箇所が発生すると容易に切断されてしまう。従って、釣り針に擬餌ワームを取り付ける場合、一箇所だけに針を掛けるいわゆる「チョン掛け」とするか、釣り針のアイ（ライン結着用孔）近傍と針先の二箇所で擬餌ワームを保持するようにしている。【０００４】  通常は、ワーム一体式の釣り針は製造されておらず、擬餌ワームと釣り針は別々に市販されている。釣り人は、これらを購入し釣り針に脆弱な擬餌ワームを付けて使用することとなる。
【先行技術文献】
【特許文献】
【０００５】
【特許文献１】  特開２００４−２０１５５１号  公報
【考案の概要】
【考案が解決しようとする課題】
【０００６】  しかし、いずれにしても細い鋼線であるところの釣り針によって脆弱な擬餌ワームを留めるわけであるから、現状では擬餌ワームの破損や移動を回避するには、擬餌ワームの材質を強靱なものとする以外に有効な方法はなかった。【０００７】  ところが、集魚効果、或いは触れたときのリアル感という点で従来の脆弱な擬餌ワームは強い人気があり、これ以外の材質のものは支持されていないのが実状である。【０００８】  また、キャスト等により擬餌ワームが移動するということは、疑似餌としての機能を著しく低下させ、釣果に悪影響を与えてしまうといった問題もあった。【０００９】  本考案はこれらの問題を解決し、脆弱な擬餌ワームを破損、移動させることなく、釣り針に強固に取り付けるための固定具を提供するものである。
【課題を解決するための手段】
【００１０】  本考案は、釣り針に擬餌ワームを取り付けるに際して用いる線状材からなる固定具であって、擬餌ワーム内に刺し込み固定する「擬餌ワーム固定部」と、先端に釣り針の軸を通し固定する事ができる「釣り針装着部」より構成される。【００１１】  即ち本考案は、釣り針のみで擬餌ワームを保持するのではなく、釣り針に擬餌ワームを付け、更にこの固定具を釣り針に装着し、擬餌ワーム固定部を擬餌ワーム内に刺し込み保持するものである。【００１２】  これにより擬餌ワームは強固に固定され、また、擬餌ワームを引き裂く力は分散され、破損や移動を防ぐことができる。【００１３】  ここで「擬餌ワーム」とは、ゴム状弾性を示す擬餌でありミミズ、ゴカイ類、魚類を模した色彩や形状のもののみならず、天然では考えられないような色彩や形状のものも多く見られる。本考案固定具に付けられる擬餌ワームはこれらの全てを含むものとする。なお、本考案は、擬餌ワームを釣り針に係止する際に用いる固定具であって、これを部材として有するものではない。【００１４】  本考案固定具は線状材からなり、擬餌ワーム固定部と釣り針装着部とにより構成される。擬餌ワーム固定部は、擬餌ワームに刺し込み、先端には釣り針でいうところの返しが設けてあり、刺し込んだ擬餌ワームが抜けにくいという機能を有す。【００１５】  釣り針装着部は、Ｕ型形状になっており、釣り針に通す、或は引っ掛けることにより、釣り針と一体化させ、結果、釣り針と擬餌ワームを強固に繋ぎ固定するものである。
【考案の効果】
【００１６】  前記した構成により、釣り針と擬餌ワームを強固に繋ぎ固定でき、擬餌ワームを引き裂く力も分散されるため、キャストや対象魚のヒットで脆弱な擬餌ワームが簡単に破損したり、また簡単に移動して疑似餌としての機能を著しく低下させたりしなくなり、結果、擬餌ワーム交換作業の頻度が少なくなるとともに、釣果を向上するに至るものである。
【図面の簡単な説明】
【００１７】
【図１】本考案固定具の一例を示す斜視図である。
【図２】本考案固定具に釣り針ずれ留めを装着した状態の一例を示す斜視図である。
【図３】本考案固定具に釣り針ずれ留めを装着した状態の一例を示す側面図である。
【図４】本考案固定具をオフセットフックに装着し、擬餌ワームを固定した状態の一例を示す側面図である。
【図５】本考案固定具をジグヘッドに装着し、擬餌ワームを固定した状態の一例を示す側面図である。
【図６】本考案固定具をストレートフックに装着し、擬餌ワームを固定した状態の一例を示す側面図である。
【考案を実施するための形態】
【００１８】  本考案固定具の本体は、ステンレス製等の線状材が望ましい。錆びに強く、折曲により容易に擬餌ワーム固定部と釣り針装着部を成型することができるためである。
【００１９】  擬餌ワーム固定部は、擬餌ワーム刺し込み、先端には釣り針でいうところの返しが設けてあり、刺し込んだ擬餌ワームが抜けにくいという機能を有し、釣り針装着部は、Ｕ型形状になっており、釣り針に通す、或は引っ掛けることにより、釣り針と一体化させ、結果、釣り針と擬餌ワームを強固に繋ぎ固定するものである。
【００２０】  また、Ｕ型形状の釣り針装着部に、収縮ゴム等を通し装着し、これに釣り針を刺し通すことで、釣り針ずれ留めとして機能し、釣り針との一体化が増し、更なる強固な固定が期待できる。
【実施例】
【００２１】  以下、添付図面に従って一実施例を説明する。【００２２】  図１は、本考案固定具の一例を示す斜視図である。図により明らかなように本考案固定具１は、釣り針装着部２と擬餌ワーム固定部３から構成され、間にＬ型の折り曲げ部４を有している。釣り針装着部２はＵ型形状になっており、釣り針に通す、或は引っ掛けることにより、本考案固定具１を釣り針と一体化させる機能を持ち、擬餌ワーム固定部３は、擬餌ワームに刺し込み、先端には釣り針でいうところの返しが設けてあり、刺し込んだ擬餌ワームが抜けにくいという機能を持つ。また素材については、ステンレス製等の金属製の線状材が成型が容易な点等において適している。【００２３】  図２は、本考案固定具に釣り針ずれ留めを装着した状態の一例を示す斜視図である。また、図３は、本考案固定具に釣り針ずれ留めを装着した状態の一例を示す側面図である。図により明らかなように釣り針装着部２に収縮ゴム等を通し装着し、これを釣り針ずれ留め５とする。この釣り針ずれ留め５に釣り針を刺し通すことで、釣り針装着部２の釣り針との一体化が増し、更なる強固な固定が期待できる。【００２４】  図４は、本考案固定具をオフセットフックに装着し、擬餌ワームを固定した状態の一例を示す側面図である。図により明らかなようにオフセットフック６に、本考案固定具１を装着する場合は、釣り針装着部２を、オフセットフック６のアイ（ライン結着用孔）近傍の折り曲げ部に装着すると、オフセットフック６と擬餌ワーム７を容易に固定することができる。【００２５】  図５は、本考案固定具をジグヘッドに装着し、擬餌ワームを固定した状態の一例を示す側面図である。図により明らかなようにジグヘッド８に、本考案固定具１を装着する場合は、釣り針装着部２を、ジグヘッド８の針のフトコロ部に装着すると、ジグヘッド８と擬餌ワーム７を容易に固定することができる。【００２６】  図６は、本考案固定具をストレートフックに装着し、擬餌ワームを固定した状態の一例を示す側面図である。図により明らかなようにストレートフック９に、本考案固定具１を装着する場合は、釣り針装着部２を、ストレートフック９のアイ（ライン結着用孔）に引っ掛けて装着すると、ストレートフック９と擬餌ワーム７を容易に固定することができる。【００２７】  本考案固定具の一実施例は前述の如き構成からなるものであり、多種多様な形状の釣り針と擬餌ワームを強固に繋ぎ固定でき、擬餌ワームを引き裂く力も分散されるため、キャストや対象魚のヒットで脆弱な擬餌ワームが簡単に破損したり、また簡単に移動して疑似餌としての機能を著しく低下させたりしなくなり、結果、擬餌ワーム交換作業の頻度が少なくなるとともに、釣果を向上するに至る画期的な、釣り針に擬餌ワームを取り付けるための固定具である。
【符号の説明】
【００２８】    １  本考案固定具
２  釣り針装着部
３  擬餌ワーム固定部
４  折り曲げ部
５  釣り針ずれ留め
６  オフセットフック
７  擬餌ワーム
８  ジグヘッド
９  ストレートフック
【図１】
0003150071.tif 000003
【図２】
0003150071.tif 000004
【図３】
0003150071.tif 000005
【図４】
0003150071.tif 000006
【図５】
0003150071.tif 000007
【図６】
0003150071.tif 000008